(57)【要約】【課題】墨液の後処理及び墨液蒸発を防ぐ硯の提供。【解決手段】本発明は、硯本体と当該硯本体に設けられた排出口と、蓋体を備える。硯本体は、周囲を囲む略矩形の縁部と当該縁部の内側に、墨を磨る丘部と当該丘部に下り傾斜で連接する墨池部とを有する。排出口は、硯本体の墨池部側の縁部の隅付近に設けられ、墨池部内の墨液を硯から排出する。蓋体は、硯本体に開閉自在に設けられ、排出口に対応する位置に排出口を塞ぐ嘴部を形成したことを特徴とする。【選択図】図１
2010158804.tif 000002
【特許請求の範囲】
【請求項１】
周囲を囲む略矩形の縁部と当該縁部の内側に、墨を磨る丘部と当該丘部に下り傾斜で連接する墨池部とを有する硯本体と、
前記硯本体には、墨池部側の縁部の隅付近に、墨池部内の墨液を硯から排出するための排出口を設け、
前記硯本体に開閉自在に設けられた、前記排出口に対応する位置に当該排出口を塞ぐ嘴部を形成した蓋体を備えたことを特徴とする硯。
【請求項２】
前記丘部を挟んで前記墨池部と反対側に、墨収納部を更に設けた請求項1に記載の硯。
【請求項３】
前記蓋体の上面に筆を配置したときに、当該筆の穂先を保護する穂先カバーを当該蓋体の一方端部に設けた請求項１または２に記載の硯。
【発明の詳細な説明】
【技術分野】
【０００１】
本発明は、習字等で用いられる硯に関し、特に磨り終わった墨液の処理に最適な硯である。
【背景技術】
【０００２】
習字等をするときは、まず硯の上面に窪みを形成した墨池部に水を入れて、固形墨を当該硯の上面の平らな丘部で磨（す）ることで作った墨液を筆先につけて字を書いている。
【０００３】
このようにして墨液が墨池に溜まった状態の硯は、使用者の都合で、しばらく放置される場合があり、せっかく作った墨液が蒸発してしまうことがあった。
【０００４】
さらに、上記硯内の墨液を使用後は、墨池に残った墨液を、別に用意された墨壺等に集めて回収し、次回のために残しておくことが多い。このような、従来の硯の形状が特許文献１に開示されている。
【先行技術文献】
【特許文献】
【０００５】
【特許文献１】実用新案登録第３１４６８７３号公報
【発明の概要】
【発明が解決しようとする課題】
【０００６】
従来の硯の形状は、墨池部や丘部を囲む縁部に、墨液を排出できるような凹部等が形成されていないので、上記墨壷等に残った墨液を集める際に、硯から直接墨壷に墨液を集めようとすると、墨液が硯から滴り落ちるので、スポイト等で吸い取ってから、墨壷に収容させていた。
【０００７】
したがって、墨液の蒸発を防止し、墨壷への墨液の移し替えが容易な硯が要請されていた。
【課題を解決するための手段】
【０００８】
上記課題を達成するための本発明は、以下の技術的手段を採用する。すなわち、本発明は、硯本体と当該硯本体に設けられた排出口と、蓋体を備える。硯本体は、周囲を囲む略矩形の縁部と当該縁部の内側に、墨を磨る丘部と当該丘部に下り傾斜で連接する墨池部とを有する。排出口は、硯本体の墨池部側の縁部の隅付近に設けられ、墨池部内の墨液を硯から排出する。蓋体は、硯本体に開閉自在に設けられ、排出口に対応する位置に排出口を塞ぐ嘴部を形成したことを特徴とする。
【０００９】
上記の構成であると、残った墨液を排出口から墨壷等に移し替えることができるので、墨液を硯から直接墨壷等に移し変えることができ、スポイト等を使用する必要がない。更に、蓋体で硯を覆うことにより、墨池部内の墨液の蒸発を防ぐことができる。
【００１０】
上記の構成において、丘部を挟んで墨池部と反対側に、墨収納部を更に設けることが望ましい。更に、蓋体の上面に筆を配置したときに、筆の穂先を保護する穂先カバーを蓋体の一方端部に設けることが望ましい。
【発明の効果】
【００１１】
本発明の硯によると、墨池に墨液を残したまま習字を中断する場合に、蓋体で硯本体に蓋をすることで、墨液の蒸発を防ぐことができる。さらに、後処理の際に、残った墨液を排出口から容易に移し替えることができる。
【図面の簡単な説明】
【００１２】
【図１】本発明の実施形態に係る硯の概観を示す斜視図である。
【図２】本発明の実施形態に係る硯の概観を示す斜視図である。
【図３】本発明の実施形態に係る蓋体の拡大斜視図である。
【図４】本発明の実施形態に係る蓋体の穂先カバーの拡大斜視図である。
【図５】本発明の実施形態に係る伸縮可能な筆の拡大図である。
【発明を実施するための形態】
【００１３】
以下に、図面を参照して、本発明の硯を説明する。図１及び図２は、本発明の硯の概観斜視図であり、図３は、本発明の硯の蓋体の拡大斜視図、図４は、蓋体に配置する伸縮筆の図である。
【００１４】
図１に示すように、本発明の硯１は、硯本体１０と蓋体２０を備える。硯本体１０は以下に説明するように、排出口１５と墨収容部１４を備え、蓋体２０は以下で説明するように、嘴部２１と穂先カバー２２を備える。
【００１５】
硯本体１０は、底面が矩形をなし、硯本体１０の上面は、墨液を溜めることの出来る窪みの形状の墨池部１２と、墨を磨るのに適した平坦な形状の丘部１３と、上記墨池部１２と丘部１３を取り囲むように縁部１１が形成されている。縁部１１の外周は、磨った墨液が硯本体１０から溢れるのを防ぐために、丘部１３よりやや高めに構成されている。丘部１３と墨池部１２とは、丘部１３から墨池部１２に向けて下り傾斜した斜面で連設されている。
【００１６】
上記縁部１１の上記墨池部１２側の一方の隅付近に、墨液を排出するための排出口１５を形成する。墨液を硯本体１から墨壷等に移し替える際に、墨液がこぼれにくいように、排出口１５の形状は嘴形状（下嘴と称する）で構成した。排出口１５の先端には、墨液をさらに移し替えやすいように溝１５ａを形成してもよい。この排出口１５は、図１及び図２に示すように、墨池部１２を手前にした状態で硯本体１０を上面からみたとき、墨池部１２の右側に形成したが、墨池部１２の左側に形成すると、使用者が右手で硯本体１０を持って、墨液を墨壷等に移し変えることが容易にできる。
【００１７】
硯本体１０の上面には、固形の墨を収容する墨収容部１４が、上記丘部１３を挟んで、墨池１２と反対側に設けられる。当該墨収容部１４は、墨池部１２と反対側の丘部１３の端を凹状に削ることで形成できる。
【００１８】
上記のように形成された硯本体１０は蓋体２０と蝶番３０で開閉自在に連結される。このとき、蓋体２０で硯本体１０を閉じたときに、蓋体２０に形成する後述の嘴部２１と硯本体１の排出口１５とがぶつからないように、上記排出口１５が形成された縁部１１の側面を除いた側面に蓋体２０を連結する。例えば、図１で示すように、硯本体１０には長手方向側面に排出口１５が形成されているので、蓋体２０は、当該排出口１５が形成された長手方向側面ではなく、短手方向側面に蝶番３０で連結した。また、図２で示すように、排出口１５の形成されていない長手方向側面で連結してもよい。また、排出口１５が、縁部１１の短手方向側面側に形成された場合は（図示しない）、当該排出口１５が形成されていない方の短手方向側面若しくは、長手方向側面に、上記蓋体２０が連結されることはいうまでもない。なお、蝶番３０での連結をせずに、硯本体１０と蓋体２０が取り外し可能な構成とすることもできる。
【００１９】
蓋体２０は、図３に示すように、上面からみて、上記硯本体１０と略同じ形状をしており、蓋体２０を上面からみたとき、硯本体１０に形成した排出口１５と丁度同じ形状の嘴部２１（上嘴と称する）が形成されている。嘴部２１は、硯本体２０に形成した排出口１５に対応した位置に形成すれば、蓋体２０で硯本体１０を覆ったとき、当該排出口１５が嘴部２１で覆われるように構成できる。
【００２０】
更に、蓋体２０の上面長手方向一方端部には、下記の穂先カバー２２を備える。例えば、図４に示すように、互いに対向する左右一対の支持体２３の上端及び前方端をそれぞれカバー２４で一体に成形した形状となるように合成樹脂等を射出成形して、後部と下部が開口した穂先カバー２２が成形できる。このとき、穂先カバー２２の後部の開口の高さは、上記穂先カバー２２を蓋体２０に固定して、後述の筆５０を上記蓋体２０に配置したとき、当該筆５０の穂先５３が挿入可能な高さとし、穂先カバー２２の幅（蓋体２０の長手方向）も上記筆５０の穂先５３が挿入可能な幅であればよい。上記左右一対の支持体２３は、上記筆５０が収容できるだけの一定の間隔をおいて対向させる。支持体２３の形状は、筆５０の穂先５３が挿入可能な高さを有する形状であればよく、例えば、支持体２３の前方端に向かってテーパ状に成形してもよい。
【００２１】
上記のように構成した穂先カバー２２の前部を蓋体２０の長手方向端部に向けた状態で、上記穂先カバー２２の一対の支持体２３を蓋体２０の上面長手方向端部の短手方向両端に固定する。
【００２２】
蓋体２０には、筆５０を区分けする壁部２５を設けてもよい。更に、蓋体２０の裏面全面に、弾性体（図示しない）を設けて当該蓋体２０で硯本体１０に蓋をしたときに上記弾性体が縁部１１に密着することで、墨池部を封止するようにしてもよい。弾性体は、蓋体２０で硯本体１０に蓋をしたときに、蓋体２０が縁部１１に接触する部分のみに設けてもよい。
【００２３】
上記のように構成した蓋体２０に図５で示すような伸縮可能な筆５０を配置する。上記筆５０は、有底の外筒５１内に、筆５０の穂先を設けた内筒５２を上記外筒５１に対してスライド可能に収納することで構成でき、筆５０の収納時は筆５０の外筒５１内に上記外筒５１の内壁から所定の間隙をもって内筒５２が収納される。本実施例では、内筒５２を収納した場合の筆５０の長手方向の長さが蓋体２０の長手方向の長さより短くなるように構成した。
【００２４】
更に、上記のように構成した蓋体２０に図３で示すような文鎮６０とスポンジ７０を配置してもよい。文鎮６０は、上記壁部２５間に配置可能である。また、スポンジ７０を配置するための凹部２６を蓋体２０に形成してもよい。
【００２５】
本発明の硯１は以下のように使用する。まず、硯１の蓋体２０から筆５０を取り出す。そして、蓋体２０を開けて硯本体１０の墨収容部１４から固体墨１４ａを取り出す。次に、硯本体１０の墨池部１２に水をいれて、墨池部１２の水を上記固体墨１４ａですくい、丘部１３で所定時間固体墨１４ａを磨ることで、墨液を作る。そして、上記筆５０と墨液を使用して習字を始める。習字を中断するときには、蓋体２０で硯本体１０の蓋をすることで、墨池部１２の墨液が蒸発することを防ぐ。習字を終了する場合、残った墨液を排出口１５から墨壷等に移し変えることで、作った墨液を墨壷等に保存することができる。
【産業上の利用可能性】
【００２６】
本発明を使用すると、習字を中断する場合、墨液の蒸発を防ぎ、習字終了後の後処理の際に、残った墨液を排出口から墨壷等に容易に移し替えることが出来る。したがって、その産業上の利用可能性は大きい。
【符号の説明】
【００２７】
１    硯
１０  硯本体
１１  縁部
１２  墨池
１３  丘部
１４  墨収容部
１５  排出口
２０  蓋体
２１  嘴部
２２  穂先カバー
２３  支持体
２４  カバー
３０  蝶番
５０  筆
５１  外筒
５２  内筒
【図１】
2010158804.tif 000003
【図２】
2010158804.tif 000004
【図３】
2010158804.tif 000005
【図４】
2010158804.tif 000006
【図５】
2010158804.tif 000007